(57)【特許請求の範囲】
【請求項１】
棒状のシャフト部と、
前記シャフト部の一端から二股に分岐するテンション部と、
前記シャフト部の他端に設けられたグリップ部と、
を有し、
前記テンション部の二股に分岐した一方が、他方より長く、かつ、その先端にワイヤーの抜けを防止する抜止部を有することを特徴とするワイヤーテンション調整治具。
【請求項２】
前記シャフト部が、前記テンション部と前記グリップ部のいずれか、または両方と着脱自在であることを特徴とする請求項１に記載のワイヤーテンション調整治具。
【請求項３】
前記テンション部の二股に分岐した部分の少なくとも一部に、摩擦力付与部材が設けられていることを特徴とする請求項１または２に記載のワイヤーテンション調整治具。
【発明の詳細な説明】
【技術分野】
【０００１】
本発明は、ワイヤーにテンション（張力）を加えるためのワイヤーテンション調整治具に関する。
【背景技術】
【０００２】
杭打ち機や移動式クレーン等のワイヤーを使用する重機において、ワイヤーにテンションがかかっていない状態でワイヤーを巻き上げると、ワイヤーがドラムに規則的に巻き取られない乱巻きが生じることがある。ワイヤーの乱巻きは、型崩れやキンクの原因となる。型崩れやキンクが生じたワイヤーは、強度が低下する。強度が低下したワイヤーは、本来は耐えることのできる荷重であっても切断してしまい、重量物の落下や倒壊に繋がり、非常に危険である。そのため、ワイヤーに乱巻きが生じると、ワイヤーを緩め、テンションを加えながらワイヤーを巻き直す必要がある。
ワイヤーにテンションを加えるための治具は市販されておらず、ケーブルベンダー、コンジットベンダー等の棒状の物を用いたり、革手袋をはめた手で直接ワイヤーを掴んだりして、ワイヤーにテンションを加えながら巻き直す作業が行われている。ケーブルベンダー等は、ワイヤーをしっかりと保持することができないためテンションが弱く、作業中にワイヤーが外れることもある。また、作業員が手で直接ワイヤーを掴むことは、手や衣類がワイヤーに巻き込まれる危険性がある。
【発明の概要】
【発明が解決しようとする課題】
【０００３】
本発明は、乱巻きが生じたワイヤーを緩めて巻き直す際に、少ない力で、かつ、安全にテンションを加えることのできるワイヤーテンション調整治具を提供することを課題とする。
【課題を解決するための手段】
【０００４】
１．棒状のシャフト部と、
前記シャフト部の一端から二股に分岐するテンション部と、
前記シャフト部の他端に設けられたグリップ部と、
を有することを特徴とするワイヤーテンション調整治具。
２．前記シャフト部が、前記テンション部と前記グリップ部のいずれか、または両方と着脱自在であることを特徴とする１．に記載のワイヤーテンション調整治具。
３．前記テンション部の二股に分岐した部分の少なくとも一部に、摩擦力付与部材が設けられていることを特徴とする１．または２．のいずれかに記載のワイヤーテンション調整治具。
【発明の効果】
【０００５】
本発明のワイヤーテンション調整治具は、ワイヤーをしっかりと挟み込むことができ、使用中にワイヤーが外れることはなく、また、ワイヤーにテンションを容易にかけることができる。巻き直されるワイヤーから離れて作業が行えるため、作業員がワイヤーに巻き込まれることがなく、安全性に優れている。ワイヤーテンション調整治具を構成する部品を着脱自在とし、シャフト部の長さが最適な部品と交換して用いることで、狭い作業スペースでも取り扱い性に優れている。また、テンション部を交換することで、様々な太さのワイヤーに適用することができる。テンション部に摩擦力付与部材を設けることで、さらに小さな力でワイヤーにテンションをかけることができる。
【図面の簡単な説明】
【０００６】
【図１】本発明のワイヤーテンション調整治具の一実施態様を示す図。
【図２】テンション部の形態例を示す図。
【図３】本発明のワイヤーテンション調整治具の使用方法を説明する図。
【図４】本発明のワイヤーテンション調整治具の使用方法を説明する図。
【図５】本発明のワイヤーテンション調整治具の使用している様子を示す図。
【発明を実施するための形態】
【０００７】
本発明のワイヤーテンション調整治具の一実施態様を図１に示す。
本発明のワイヤーテンション調整治具１０は、棒状のシャフト部１と、シャフト部１の一端から二股に分岐するテンション部２と、シャフト部１の他端に設けられたグリップ部３とを有する。
本発明のワイヤーテンション調整治具１０は、シャフト部１とテンション部２とグリップ部３とが一体に成形されていてもよく、シャフト部１と、テンション部２、グリップ部３のいずれか、または両方とが着脱自在であってもよい。重機の大きさは様々であり、機種によってはワイヤーを巻き戻すための作業スペースが狭い。シャフト部１と、テンション部２、グリップ部３のいずれか、または両方とを着脱自在とし、シャフト部１を含む部分を異なる長さのものと交換することで、作業スペースの広さに応じた長さにワイヤーテンション調整治具１０を調整することができる。
シャフト部１と、テンション部２、グリップ部３のいずれか、または両方とを着脱自在とする方法は、ワイヤーテンション調整治具１０を使用する際に緩まない方法であれば特に制限することなく使用することができる。例えば、雄ネジと雌ネジによる螺合、通しボルトとナットによる固定、を挙げることができる。
【０００８】
シャフト部１は、ワイヤーテンション調整治具１０の使用時に破損しない強度を有するものであれば特に制限することなく、鉄、アルミ、木材等の様々な材料から形成することができ、また、中実、中空のどちらでもよいが、中空のほうが軽くて取り扱い性に優れるため好ましい。強度、コストの点から鉄であることが好ましい。
シャフト部１の長さは特に制限されないが、５０ｃｍ〜１２０ｃｍ程度が、重機上で取り扱いやすく、作業性に優れている。また、シャフト部１は、長さが調整可能であってもよい。シャフト部１の長さを調整する方法は特に制限されず、シャフト部１を複数部材から構成して必要な長さとなるように継手で接続する等の方法を用いることができる。
【０００９】
テンション部２は、二股に分岐しており、ワイヤーを挟み込むことによりワイヤーにテンションを付与するものである。テンション部２は、ワイヤーテンション調整治具１０の使用時に破損しない強度を有するものであれば特に制限することなく、鉄、アルミ等の様々な材料から形成することができ、強度、コストの点から鉄であることが好ましい。
図２にテンション部２の形状例を示す。図２に示すテンション部２は、分岐した一方が他方より長く、その先端にワイヤーの抜けを防止する抜止部４を有している。分岐した部分の間隔は、挟み込まれるワイヤーの太さよりも広く、テンション部２をワイヤーに対して傾斜させることにより、ワイヤーを挟み込む。上記したように、シャフト部１とテンション部２とを着脱自在とし、分岐した部分の間隔が異なるテンション部２を用意しておけば、テンション部２を交換して様々な太さのワイヤーに対応することができる。テンション部２の形状は、図２に示す形状例に限定されず、例えば、分岐した両方の先端に抜止部４を有する形状、抜止部４を有さないＵ字状、より丸みを帯びたＣ字状等を挙げることができる。
【００１０】
ワイヤーにかかるテンションを大きくするために、テンション部２の二股に分岐した部分の少なくとも一部に、摩擦力付与部材５を設けることが好ましい。摩擦力付与部材５は、テンション部２の素材よりもワイヤーとの摩擦力が大きいものであれば特に制限することなく使用することができ、硬質ゴム、シリコンゴム、ビニールテープ等を用いることができる。これらの中で、耐久性に優れるため、硬質ゴムが好ましい。摩擦力付与部材５は、接着剤、両面テープ等でテンション部２に設けることができる。また、筒状に形成した摩擦力付与部材５を、テンション部２の分岐した棒状の部分に嵌めこむと、摩擦力付与部材５を容易にテンション部２に設けることができ、かつ使用時に摩擦力付与部材５がテンション部２から剥がることがない。
【００１１】
グリップ部３は、ワイヤーテンション調整治具１０の使用時に把持するものである。グリップ部３は、ワイヤーテンション調整治具１０の使用時に破損しない強度を有するものであれば特に制限することなく、鉄、アルミ等の様々な材料から形成することができ、強度、コストの点から鉄であることが好ましい。
図１に示すグリップ部３は、シャフト部１の径方向で、シャフト部１から離れた位置に把持部６を有する。把持部６はシャフト部１から離れており、把持部６を作用点、シャフト部１を回転軸とするモーメントが大きいため、少ない力でワイヤーテンション調整治具１０を回転させ、すなわち、テンション部２を傾斜させ、ワイヤーを挟み込みテンションをかけることができる。把持部６は、使用時に滑りにくくするため、すべり止め加工を施す、ゴムで覆う等することが好ましい。なお、グリップ部３の形状は、図１に示す形状に限定されない。
【００１２】
次に、本発明のワイヤーテンション調整治具１０の使用方法を説明する。
乱巻きが生じたワイヤー２０を、乱巻きしている部分がなくなるまでドラム３０から緩める。ワイヤー２０がドラム３０に巻き取られる方向に向かい、ワイヤー２０に近い側の手でシャフト部１、もう一方の手でグリッド部３を持ち、ワイヤー２０をテンション部２の分岐部分に挿入する。ドラム３０軸方向と巻き取られるワイヤー２０のなす角が直角に近くなるように、ドラム３０から離れた位置で、ワイヤー２０をテンション部２に挿入することが好ましい。（図３）。
グリップ部３を前、または後ろに倒し、シャフト部１を中心としてワイヤーテンション調整治具１０を回転させる。ワイヤーテンション調整治具１０が回転すると、テンション部２が傾斜し、ワイヤー２０はテンション部２に挟み込まれる（図４）。
ワイヤー２０が、テンション部２にしっかりと挟み込まれていることを確認した後、ゆっくりとドラム３０を回転させ、テンションをかけながらワイヤー２を巻き直す。
【００１３】
図５に、本発明のワイヤーテンション調整治具１０を用いて、ワイヤー２０を巻き直す様を示す。作業員がワイヤーテンション調整治具１０を傾けると、テンション部２がワイヤー２０を挟み込み、ワイヤーにテンションをかけることができる。作業員は、ワイヤー２０から離れた場所で作業することができるため、巻き直されるワイヤー２０に指や衣類等が巻き込まれることがなく、安全性に優れている。
【符号の説明】
【００１４】
１０  ワイヤーテンション調整治具
１    シャフト部
２    テンション部
３    グリップ部
４    抜止部
５    摩擦力付与部材
６    把持部
２０  ワイヤー
３０  ドラム
【図１】
0006580918.tif 000002
【図２】
0006580918.tif 000003
【図３】
0006580918.tif 000004
【図４】
0006580918.tif 000005
【図５】
0006580918.tif 000006